Podtech/llm-jp-corpus-v4-ja_patent huggingface dataset:
(57)【要約】【課題】  従来のコネクタは、防滴構造であって、防水構造でないため、水漏れのある部分では使用できない点であり、又、特別品であるため、その都度購入しなければならないという点である。【解決手段】  ＳＭＣコネクタに２本の同軸コードが接続され、ケースはＳＭＣコネクタの第１の同軸コードと接触するＯリングが一端に装着され、又、ＳＭＣコネクタを覆い、他端に膨大部が設けられ、この膨大部の外面周囲にネジが設けられ、挿入ブッシュはケースの膨大部に挿入され、内面に前記ＳＭＣコネクタの第２の同軸コードと接触するＯリングが装着し、外面にケースの膨大部の内面と接触するＯリングが装着され、キャップはケースの他端の膨大部のネジと係合するネジを内面に装着され、挿入ブッシュとＳＭＣコネクタの間にスプリングが装着されている。【選択図】図１
2006099969.tif 000002
【特許請求の範囲】
【請求項１】
２本の同軸コードを接続するＳＭＣコネクタと、該ＳＭＣコネクタの第１の同軸コードと接触するＯリングを一端に装着し、前記ＳＭＣコネクタを覆い、他端に膨大部を設け、該膨大部の外面周囲にネジを設けたケースと、該ケースの前記膨大部に挿入され、内面に前記ＳＭＣコネクタの第２の同軸コードと接触するＯリングを装着し、外面に前記ケースの膨大部の内面と接触するＯリングを装着した挿入ブッシュと、前記ケースの他端の膨大部のネジと係合するネジを内面に装着したキャップとからなることを特徴とする防水コネクタ。
【請求項２】
前記ケース、前記挿入ブッシュ及びキャップはテフロン（登録商標）で構成されていることを特徴とする請求項１記載の防水コネクタ。
【請求項３】
前記ＳＭＣコネクタと前記挿入ブッシュとの間にスプリングを装着することを特徴とする請求項１記載の防水コネクタ。
【発明の詳細な説明】
【技術分野】
【０００１】
本発明は、着脱が容易で、直流から高周波に到るまでの広範囲な周波数特性と低漏洩特性を保有していることから通信情報機器に到るまで用いられる防水コネクタに関するものである。
【背景技術】
【０００２】
従来のコネクタとしては、ロックナット部に水密用のＯリングを取り付けた防滴構造である。
【０００３】
しかしながら、このような従来のコネクタは、防滴構造であって、防水構造ではないため、水漏れするような部分には使用できず、又、一般的な構造になっていないために、特別品として購入しなければならないという問題があった。
【特許文献１】特開平４−２９４０７４号
【発明の開示】
【発明が解決しようとする課題】
【０００４】
解決しようとする問題点は、従来のコネクタは、防滴構造であって、防水構造でないため、水漏れのある部分では使用できない点であり、又、特別品であるため、その都度購入しなければならないという点である。
【課題を解決するための手段】
【０００５】
本発明は、ＳＭＣコネクタに２本の同軸コードが接続され、ケースはＳＭＣコネクタの第１の同軸コードと接触するＯリングが一端に装着され、又、ＳＭＣコネクタを覆い、他端に膨大部が設けられ、この膨大部の外面周囲にネジが設けられ、挿入ブッシュはケースの膨大部に挿入され、内面に前記ＳＭＣコネクタの第２の同軸コードと接触するＯリングが装着し、外面にケースの膨大部の内面と接触するＯリングが装着され、キャップはケースの他端の膨大部のネジと係合するネジを内面に装着され、挿入ブッシュとＳＭＣコネクタの間にスプリングが装着されている。
【発明の効果】
【０００６】
本発明の防水コネクタは、ＳＭＣコネクタをカバーで被覆し、カバーの一端に装着したＯリングと、カバーの他端に挿入した挿入ブッシュに装着した０リングで水漏れを防ぎ、又、ＳＭＣコネクタとブッシュの間に装着したスプリングでキャップの閉め忘れやＳＭＣコネクタの移動を防止することができる。
【発明を実施するための最良の形態】
【０００７】
ＳＭＣコネクタをカバーで被覆し、カバーの一端に第１の同軸コードと接触するＯリングを装着し、又、カバーの他端に挿入ブッシュを挿入し、挿入ブッシュの内面に第２の同軸コードと接触するＯリングを装着し、挿入ブッシュの外面にケースの膨大部と接触するＯリングを装着し、さらに、挿入ブッシュとＳＭＣコネクタの間にスプリングを装着して防水構造とする。
【実施例】
【０００８】
図１は本発明の実施例の防水コネクタの一部断面側面図で、ＳＭＣコネクタ１は第１のコネクタ１ａ及び第２のコネクタ１ｂからなり、第１のコネクタ１ａは第１の同軸コード２に接続され、又、第２のコネクタ１ｂは第２の同軸コード３に接続され、ＳＭＣコネクタ１はカバー４で被覆され、カバー４の一端の内側に装着されたＯリング５は第１の同軸コード２と密接するように構成され、カバー４の他端に膨大部４ａが形成され、この膨大部４ａの内側に挿入ブッシュ６が挿入され、この挿入ブッシュ６に貫通孔６ａが形成されて、第２の同軸コード２が通され、又、貫通孔６ａにＯリング７が装着されて、第２の同軸コード３と密接するように構成され、さらに、挿入ブッシュ６の外側に装着されたＯリング８はケース４の膨大部４ａの内側に密接され、挿入ブッシュ６の内端部と第２のコネクタ１ｂの間にスプリング９が装着され、ケース４の膨大部４ａの外側にネジが形成され、第２の同軸コード３が通おる貫通孔１０ａが形成されたキャップ１０の内側に形成されたネジはケース４の膨大部４ａの外側に形成されたネジと係合されて装着され、挿入ブッシュ６をスプリング９に押し付けるように構成されている。
【０００９】
このように構成された本実施例の防水コネクタでは、ＳＭＣコネクタ１は耐薬品性の同軸コードに接続され、ＳＭＣコネクタ１はカバー４とキャップ１０をネジ係合することにより結合され、カバー４の一端に装着されたＯリング５を第１の同軸コード２と密接させ、Ｏリング７、８を挿入ブッシュ６の内外に装着することにより、キャップ１０に形成された同軸コードが貫通する貫通孔から液滴が侵入しても、ＳＭＣコネクタ１が装着された部分に侵入することがなく、又、ＳＭＣコネクタ１と挿入ブッシュ６の間にスプリング９を装着することにより、挿入ブッシュ６を押圧して、挿入ブッシュ６に装着したＯリング７、８が第２の同軸コード３及びケース４の膨大部４ａの内側に密接するように構成することができる。
【産業上の利用可能性】
【００１０】
なお、上記実施例において、カバー４、挿入ブッシュ６、キャップ１０はテフロン（登録商標）で構成することにより、耐薬品性が得られ、又、Ｏリング５、７、８もＰＴＦＥ及びフッ素系ゴムで構成することにより、耐薬品性が得られる。
【図面の簡単な説明】
【００１１】
【図１】本発明の実施例の防水コネクタの一部断面側面図である。
【符号の説明】
【００１２】
１                ＳＭＣコネクタ
２                第１の同軸コード
３                第２の同軸コード
４                カバー
５、７、８        Ｏリング
６                挿入ブッシュ
９                スプリング
１０              キャップ
【図１】
2006099969.tif 000003
(57)【要約】【課題】  固定子と密閉容器との当接面積を小さくして騒音を大幅に低減させることができる電動圧縮機を提供する。【解決手段】  密閉容器内に電動要素と、この電動要素に連結された回転軸にて駆動される圧縮要素とを収納して成る電動圧縮機において、前記電動要素を、前記密閉容器の内壁に当接して固定される固定子鉄心を有する固定子と、前期回転軸に取り付けられ、前記固定子の内側において回転自在に支持された回転子とから構成すると供に、前記固定子鉄心が前記密閉容器に当接する部分の前記回転軸方向の寸法をＨとし、当該固定子鉄心が当接する密閉容器内壁の前記回転軸方向の寸法をＨ０とした場合、Ｈ０＜Ｈとしたことを特徴とする。【選択図】図１
2006009712.tif 000002
【特許請求の範囲】
【請求項１】
密閉容器内に電動要素と、この電動要素に連結された回転軸にて駆動される圧縮要素とを収納して成る電動圧縮機において、前記電動要素を、前記密閉容器の内壁に当接して固定される固定子鉄心を有する固定子と、前記回転軸に取り付けられ、前記固定子の内側において回転自在に支持された回転子とから構成すると供に、当該固定子鉄心が当接する密閉容器内径側に、複数の空洞が設けられており、その空洞部の一部若しくは全部に高減衰性のある部材が挿入されたことを特徴とする密閉型圧縮機。
【請求項２】
請求項１に記載されている電動圧縮機において、前記圧縮要素がスクロール圧縮機であることを特徴とする電動圧縮機。
【請求項３】
請求項１に記載されている電動圧縮機において、前記圧縮要素がロータリー圧縮機であることを特徴とする電動圧縮機。
【発明の詳細な説明】
【技術分野】
【０００１】
本発明は、空調、冷凍用の密閉型冷媒圧縮機に係り、電動機の加振により密閉容器に伝達される振動を低減させ、騒音の低減を施した密閉型圧縮機に関するものである。
【背景技術】
【０００２】
従来、この種の電動圧縮機においては、固定子巻線に集中巻が採用されつつあり、この結果としてこれを用いた圧縮機などは騒音が大きくなる問題があった。この騒音対策として、例えば、特開２００１−３４２９５４号公報に記載の電動圧縮機においては、圧縮機の密閉容器の内壁とこの内壁と当接される固定子鉄心外周部の軸方向の一部を切り欠くことが提案されている。
【０００３】
【特許文献１】特開２００１−３４２９５４号公報
【発明の開示】
【発明が解決しようとする課題】
【０００４】
上記従来技術では、固定子鉄心の最外径の外周形状２種類となり、ホローダイ（通常、順送型）を用いたＨＡＣによる加締（凹凸の結合）を用いた型内積層によって固定子鉄心を形成する場合、圧力容器の内壁と当接する固定子鉄心の型内積層は行えるが、当接しない固定子鉄心については基準位置がなく型内積層が行えない問題がある。
【０００５】
なお、型内積層は、固定子鉄心を形成する固定子鉄板の外周を基準位置にして位置ずれが生じないように積重ねて積層するものである。
【０００６】
本発明の目的は、固定子鉄心の型内積層による組み立てができ、騒音問題を解決できる電動圧縮機を提供することにある。
【課題を解決するための手段】
【０００７】
即ち、請求項１の発明の電動圧縮機は、密閉容器内に電動要素と、この電動要素に連結された回転軸にて駆動される圧縮要素とを収納して成る電動圧縮機において、前記電動要素を、前記密閉容器の内壁に当接して固定される固定子鉄心を有する固定子と、前期回転軸に取り付けられ、前記固定子の内側において回転自在に支持された回転子とから構成すると供に、当該固定子鉄心が当接する密閉容器内径側に、複数の空洞が設けられており、その空洞部の一部若しくは全部に高減衰性のある部材が挿入されたものである。
【発明の効果】
【０００８】
以上詳述した如く本発明によれば、固定子鉄心から密閉容器への振動伝達を減少させることが可能となる。従って、電動圧縮機の騒音を大幅に低減させることができるようになるものである。
【発明を実施するための最良の形態】
【０００９】
以下、本発明におけるいくつかの好適な実施の形態について図を参照しながら説明し、本発明の理解に供する。
【００１０】
ただし、本発明は、以下の実施の形態に限定されず、また、特に限定的な記載がない限りは、本発明の範囲をそれらのみに限定する趣旨のものではなく、単なる説明例にすぎない。
【００１１】
図１、図２に示される本実施の形態は、冷凍空調用横向き設置型のスクロール圧縮機の場合における一例である。
【００１２】
図１は本発明に係るスクロール圧縮機の断面図である。
【００１３】
主な構成として、冷媒として弗化炭素水素系冷媒群のうち少なくとも１種または２種以上を混合した混合冷媒を使用するもので、密閉容器１の内部に、電動機２と、この電動機２により駆動される旋回スクロール３と固定スクロール４との間で前記冷媒を圧縮するスクロール圧縮機構５とを配し、旋回スクロール３を固定スクロール４に対して自転させずに旋回運動させるように固定スクロール４と固定部材７との間で支持案内する自転規制部材としてのオルダムリング６を有している。
【００１４】
本実施の形態が横向き設置型のものであることにより、密閉容器１内の図面上左右の一方である左部にスクロール圧縮機構５が、密閉容器１内の右部に圧縮機構５を駆動する電動機２が、最右部には潤滑油が封入され、この潤滑油を潤滑対象部へクランクシャフト１６の内部を貫通する油穴１０を介して供給する給油機構が設けられている。圧縮機構５は固定スクロール３と旋回スクロール４を従来同様に噛み合わせて構成し、旋回スクロール４が電動機２の回転と共に、前記オルダムリング６を介し旋回駆動される。
【００１５】
係る、固定子２ｂの外周面は密閉容器１の内壁に当接して固定されている。この場合、固定子２ｂが密閉容器１に当接する部分の回転軸方向の寸法をＨとし、当該固定子が当接する密閉容器内壁に設けられた内周面の前記回転軸方向の切欠き寸法をＨ１とし、当該固定子が当接する密閉容器内壁の前記回転軸方向の寸法をＨ０（Ｈ０＝Ｈ−Ｈ１）とした場合、Ｈ＜Ｈ０となるように構成されている。
【００１６】
また、図２は図１の説明に追加するためのスクロール圧縮機の断面図である。
【００１７】
この場合、固定子２ｂが当接する密閉容器１内壁に設けられた内周面にある切欠き部の空洞の一部もしくは全部に減衰特性をもった部材を挿入したものである。固定子２ｂに生じた振動は、空洞部に挿入された減衰材１７により減衰されることで、直接密閉容器１へ伝達されない為、電動圧縮機の騒音を大幅に低減させることができるようになるものである。
【図面の簡単な説明】
【００１８】
【図１】本発明の実施形態を示すスクロール圧縮機の断面図である。
【図２】本発明の実施形態を示すスクロール圧縮機の断面図である。
【符号の説明】
【００１９】
１…密閉容器、２…電動機、２ａ…回転子、２ｂ…固定子、３…旋回スクロール、４…固定スクロール、５…圧縮機構、６…オルダムリング、７…固定部材、８…オイル溜め、９…給油ピース、１０…油穴、１１…圧縮室、１２…吸込口、１３…吐出口、１４…吐出管、１５…吸込管、１６…クランクシャフト、１７…減衰材。
【図１】
2006009712.tif 000003
【図２】
2006009712.tif 000004
(57)【要約】      （修正有）【課題】２４時間耳障りな浄化槽ポンプの鈍く、低い振動音を軽減ないし、除去することができる振動音軽減装置を提供する。【解決手段】ポンプを設置面から浮上させること。ポンプを吊る支柱は、共鳴しない様にポンプをおおう箱型ではなく骨組み状とする。【選択図】図２
2006009770.tif 000002
【特許請求の範囲】
【請求項１】
浄化槽ポンプの振動音軽減のため、ポンプを設置面から浮上させること。
【請求項２】
ポンプをつる支柱は、共鳴しないようにポンプをおおう箱型ではなく骨組み状とする。
【請求項３】
ポンプを支柱からつるすために、振動が伝わりにくい素材（ビニール紐、ゴム紐等）を使用すること。
【発明の詳細な説明】
【技術分野】
【０００１】防音  防振動分野
［背景技術］【０００２】防音  防振動技術
［発明の開示］
［発明が解決使用とする課題］【０００３】２４時間耳ざわりな浄化槽ポンプの鈍く、低い振動音を軽減ないし、除去すること。
［課題を解決するための手段］【０００４】ポンプを設置面から浮上させること
［発明の効果］【０００５】耳障りな振動音が大幅に減少
［発明を実施するための最良の形態］【０００６】骨組み状の支柱に振動が伝わりにくい素材で、ポンプをつるすこと。
［実施例］【０００７】市川市宮久保２−５−１１（自宅）の浄化槽に設置
［産業上の利用可能性］【０００８】安価で生活騒音を大幅に軽減できるため、広範囲の普及が期待できる。
【図面の簡単な説明】
【０００９】    ［図１］浄化槽ポンプを支柱につり下げた平面図である。
［図２］浄化槽ポンプを支柱につり下げた断面図である。
【図１】
2006009770.tif 000003
【図２】
2006009770.tif 000004
(57)【要約】【課題】この手袋は、手早く簡単に着脱ができ、しかも手袋装着時の日常の手作業に支障をきたさない手袋を提供する。【解決手段】この手袋は、５本の指を「親指」、「人差指と中指」、「薬指と小指」の三つのグループに分けて、グループごとに一つの指袋とし計三つの指袋をもった手袋で、日常の手作業時の手指の動きに支障をきたすことなく手袋の着脱を手早く簡単に行えるようにした。【選択図】  図１
2006009189.tif 000002
【特許請求の範囲】
【請求項１】
この手袋は、５本の指を「親指」、「人差指と中指」、「薬指と小指」の三つのグループに分けて、指の入る指袋を各グループに一つずつとして計三つにした手袋である。
【発明の詳細な説明】
【技術分野】
【０００１】
この発明は、指が入る指袋を３つにして手袋の着脱を容易にした手袋に関する。
【背景技術】
【０００２】
従来の手袋は５本の指がそれぞれの指袋に入るよう５つの指袋があったが、着脱を頻繁にしなければならない者には、５本の指をそろえてうまく指袋に合わせて迅速に装着するのに不便であった。
【０００３】
特に、水仕事をする者には、手に付いた水を布巾で拭いてから手袋を装着するとしても、少し湿気を帯びた指はなかなか5本の指袋にスムーズに入れずらい。
【０００４】
なお、従来は「親指」と「その他の指」に二分した二叉手袋や「親指」、「人差指」及び「その他の指」に三分した三叉手袋はあったが、二叉手袋では手指の微妙な動きに制約が生じ効率的な手作業ができず、また「親指」、「人差指」及び「その他の指」に三分した三叉手袋は本件のような三叉手袋に比してバランスが良くなく、特に食器洗い用の手袋の場合では、人差指単独の指袋では本件三叉手袋より指袋の幅が細く食器の洗浄効率が悪い。
【発明の開示】
【発明が解決しようとする課題】
【０００５】
従来の手袋は５本の指がそれぞれ入るように５つの指袋があったが、着脱を頻繁かつ迅速に行わなければならない者には、５本の指をそろえてうまく各指袋に合わせて装着するのに手間がかかり、その不便さを解消すること。
【０００６】
特に、水仕事をする者には、水に濡れた手を布巾で拭いてから手袋を装着するとき、少し湿気を帯びた指はなかなか5本の指袋にスムーズに入れずらく、その不便さを解消すること。
【０００７】
なお、従来は「親指」と「その他の指」に二分した二叉手袋や「親指」、「人差指」及び「その他の指」に三分した三叉手袋はあったが、二叉手袋では手指の微妙な動きに制約が生じ効率的な手作業ができず、「親指」、「人差指」及び「その他の指」に三分した三叉手袋は本件のような三叉手袋に比してバランスが良くなく、特に食器洗い用の手袋の場合は、人差指単独の指袋では洗浄効率が良くないこと前記のとおり。
【課題を解決するための手段】
【０００８】
この手袋は、５本の指を「親指」、「人差指と中指」、「薬指と小指」の三つのグループに分けて、グループごと各１つの指袋（計３袋）を設けた手袋である。
【発明の効果】
【０００９】
この発明は、手早く手袋の着脱を繰り返さなければならない者に、５本の指袋では装着
に手間がかかるが、３本の指袋のこの三叉手袋ではそれが簡単にできる。
【００１０】
また、従来あった指袋を「親指」と「その他の４本の指」とに二分した二叉手袋では、手作業の微妙な動きに対応できない不便さがあったが、この三叉手袋は日常生活で動かす手作業に支障をきたさない。
【００１１】
また、従来あった指袋を「親指」、「人差指」及び「その他の指」とに三分した三叉手袋は、本件三叉手袋に比してバランスが良くなく、特に食器洗い用の手袋の場合は、人差指単独の指袋では幅が広くなく洗浄効率が良くないが、この三叉手袋は、人差指と薬指が一つの幅のある指袋に入るので洗浄効率が上がる。
【発明を実施するための最良の形態】
【００１２】
図２に示すように、「親指」、「人差指・中指」及び「薬指・小指」の三つにグループ分けられた指が入る指袋をもった手袋を作る。
【実施例１】
【００１３】
図１は、実際に右手を入れたときの手袋の状態を手の甲の側から見た斜視図である。
【００１４】
一対の手袋は左右対称形になっている。
【図面の簡単な説明】
【００１５】
【図１】右手を手袋に入れて上（甲の側）から見たときの斜視図である。（実施例１）
【図２】右手の手袋を上（甲の側）から見た正面図
【符号の説明】
【００１６】
１  親指
２  人差指
３  中指
４  薬指
５  小指
６  親指の入る指袋
７  人差指と中指が入る指袋
８  薬指と小指が入る指袋
【図１】
2006009189.tif 000003
【図２】
2006009189.tif 000004
(57)【要約】【課題】靴下を着用して靴を履いて歩くときの違和感がない乾燥防止用靴下を提供する。【解決手段】靴下本体１との間に踵覆い部２の位置で非通気性シート４が装着された内側編地３を、靴下本体１の内面に踵覆い部２ならびにこの踵覆い部２の前後に繋がる両側部の長さ範囲で縫着により設けた。【選択図】    図３
2006009158.tif 000002
【特許請求の範囲】
【請求項１】
靴下本体との間に踵覆い部の位置で非通気性シートが装着された内側編地を、靴下本体の内面に踵覆い部ならびにこの踵覆い部の前後に繋がる両側部の長さ範囲で縫着により設けてなることを特徴とする乾燥防止用靴下。
【発明の詳細な説明】
【技術分野】
【０００１】
本発明は、踵の外皮の乾燥を防止し、かさつきをなくす乾燥防止用靴下に関するものである。
【背景技術】
【０００２】
踵は、人間の体の中で最も体重がかかる部分であるため、皮下組織が厚くできている。このため、踵の皮下組織の血行は悪く、その表面はかさかさに乾燥している場合が多い。また、冬の頃は乾燥が著しいことから踵の皮膚が特に乾燥しやすく、ひび割れが生じてしまうことがある。
【０００３】
そこで、この問題を解消させるべく従来では、踵の皮下組織の血行を良くするとともに、かさつきを防ぎうるおいを与える方法として、踵にクリームや化粧水などを塗ったり、踵を軽石でこすったりしていた。
【０００４】
しかしながら、クリームや化粧水などは薬品が使用されているため、人によっては体質上肌に合わないということもあった。また、踵にクリームや化粧水などを塗ったり、踵を軽石でこすったりする方法は、常時行ない続けなければ効果が上がらないため非常に面倒であった。
【０００５】
このような問題を解決するために、踵での保湿性に優れ、かつ、踵の皮下組織の血行を良くするとともに、かさつきを防ぎうるおいを与える乾燥防止用靴下が特許文献１にて知られている。
【０００６】
特許文献１に開示されている乾燥防止用靴下は靴下外層と靴下内層からなる二重靴下で、靴下内層の踵部にその踵部の大きさを有する合成樹脂シートを添えて、合成樹脂シートの周縁部を靴下内層に縫着しており、この合成樹脂シートにより踵の皮膚から蒸発した汗をさえぎり、このさえぎられた汗によりかさついた踵にうるおいを与えるようにしたものである。
【特許文献１】特開平１１−１２８０２号公報
【発明の開示】
【発明が解決しようとする課題】
【０００７】
上記特許文献１に開示されている乾燥防止用靴下は靴下外層と靴下内層とを備え、全体が二重になっている靴下であって、靴下外層と靴下内層とが複数箇所において縫い止めされているものの、この靴下を着用して靴を履いて歩いているときに特に力がかかるつま先部で靴下外層と靴下内層とがずれ動き、靴下の編地が異常に片寄って歩きづらいという問題があった。
【０００８】
本発明の目的は、このような課題を解決するものであり、靴下を着用して靴を履いて歩くときの違和感がない乾燥防止用靴下を提供することにある。
【課題を解決するための手段】
【０００９】
本発明の請求項１に記載の乾燥防止用靴下は、靴下本体との間に踵覆い部の位置で非通気性シートが装着された内側編地を、靴下本体の内面に踵覆い部ならびにこの踵覆い部の前後に繋がる両側部の長さ範囲で縫着により設けてなることを特徴とする。
【発明の効果】
【００１０】
以上のように、本発明の乾燥防止用靴下は、靴下本体との間に踵覆い部の位置で非通気性シートが装着された内側編地は靴下本体の内面に踵覆い部ならびにこの踵覆い部の前後に繋がる両側部の長さ範囲で縫着により設けられているので、前記非通気性シートにより踵での保湿性に優れ、かつ、踵の皮下組織の血行を良くするとともに、かさつきを防ぎうるおいを与えるものである。特に、靴下本体の内面に内側編地が存在するものの、靴下本体の足先覆い部ならびに足挿入部には内側編地が存在せず、特に力がかかる足のつま先部は靴下本体のみ、つまり一重の編地で覆われることになるので、靴下を着用して靴を履いて歩くとき特に力がかかるつま先部で靴下外層と靴下内層とがずれ動くこともなく、違和感がない。
【発明を実施するための最良の形態】
【００１１】
以下、本発明の一実施の形態を、図１〜図４を用いて具体的に説明する。
図において、１は丸編機により編成された靴下本体で、この靴下本体１の踵覆い部２ならびにこの踵覆い部２の前後に繋がる両側部を覆う範囲で靴下本体１の内面全周に亘って丸編機により編成された筒状の内側編地３を当てがい、この内側編地３の長さ方向両端を靴下本体１に対して縫製機にて縫い付けている。前記靴下本体１の内面に対向する内側編地３の面には踵覆い部２の位置で通気を止めるための合成樹脂製の素材からなる非通気性シート４が装着されている。この非通気性シート４はナイロンあるいはポリエチレンなどからなるシートが使用され、この非通気性シート４の周囲が前記内側編地３に縫製機にて縫い付けている。つまり、内側編地３に非通気性シート４を装着した状態で、内側編地３を靴下本体１に縫い付けて乾燥防止用靴下を完成させているのである。なお、内側編地３は踵覆い部２ならびにこの踵覆い部２の前後に繋がる両側部を覆う範囲の形状に靴下本体１よりも厚みの薄い編地となるように作られていて、内側編地３を靴下本体１に当てがうとき、先ず、靴下本体１を裏向けた状態にして、この靴下本体１に対して内側編地３を被せるようにする。その後、内側編地３の長さ方向両端を靴下本体１に対して縫製機にて縫い付けるのである。
【００１２】
従って、靴下本体１の内面には踵覆い部２ならびにこの踵覆い部２の前後に繋がる両側部の長さ範囲で内側編地３が存在するものの、靴下本体１の足先覆い部５ならびに足挿入部６には内側編地３が存在せず、特に力がかかる足のつま先部は靴下本体１のみ、つまり一重の編地で覆われることになるので、違和感なく着用できる。
【図面の簡単な説明】
【００１３】
【図１】本発明の一実施の形態における乾燥防止用靴下に使用される非通気性シートを内側編地に縫着した状態を示す斜視図である。
【図２】同非通気性シートが装着された内側編地を靴下本体に被せる直前の状態を示す斜視図である。
【図３】同非通気性シートが装着された内側編地を靴下本体に被せて内側編地を靴下本体に縫着した状態を示す斜視図である。
【図４】同完成した乾燥防止用靴下の斜視図である。
【符号の説明】
【００１４】
１    靴下本体
２    踵覆い部
３    内側編地
４    非通気性シート
５    足先覆い部
６    足挿入部
【図１】
2006009158.tif 000003
【図２】
2006009158.tif 000004
【図３】
2006009158.tif 000005
【図４】
2006009158.tif 000006
(57)【要約】【課題】  現在、半導体製造はいろいろな技術が知られていますが、今の主流は金属シリコンチップを使った半導体がほとんどです。しかし金属シリコンの精製、シリコンチップの作成等多くのコストがかかりますし、簡単に製造できる、いろいろな性質の半導体の開発が必要です。【解決手段】  今回の発明は非金属である硫黄と金属である銅、及びその他の金属との共晶合金（合上金属）を生成する事により、半導体の製造に新たな方法を提供出来ると考えられます。母体金属の組成を変える事により、共晶合金（合上金属）の半導体としての性質も簡単に変える事が可能です。また熱による溶解が出来ますので、成型が自由に出来ます。【特許請求の範囲】
【請求項１】
非金属である硫黄と金属である銅およびその他金属との合金（合上金属）の製造方法。
【請求項２】
電気の良導体である銅およびその他金属と非金属である硫黄との合金（合上金属）の半導体としての製造利用。
【請求項３】
共晶体理論による金属と金属の新たな合金開発。
【請求項４】
共晶体理論による非金属と金属の合金（合上金属）開発、とくに半導体としての共晶合金（合上金属）の開発。
【発明の詳細な説明】
【技術分野】
【０００１】  本発明は金属と非金属を結合、合金（合上金属）を作成する技術です。
【背景技術】
【０００２】  当社はかねてから共晶体理論（溶解された複数の金属は、ある環境条件の下では金属と金属は一定の割合で結合している）を用いて多くの金属精錬方法を確立して来ました。ちなみに錫と鉛の６３％３７％配合の合金を共晶はんだと言い、同じ合金組成％の中で一番低融点であり、もっとも安定している状態です。【０００３】  以前より当社で使っている、非金属である硫黄が銅と結びつく技術が、非金属である硫黄が銅と結びついて、共晶体理論の合金（合上金属）となって居る可能性を考え、高温で溶解して観たところ、銅と硫黄の共晶体が生成され，他の金属と分離、結晶しました。【０００４】  本来、合金とは金属と金属とで作成される物ですが、本技術を用いれば、金属と非金属である（硫黄）との合金（合上金属）製造が可能です。【０００５】  銅は電気を通す良導体ですが、硫黄は電気を通さない不導体です。銅と硫黄が合金（合上体）となれば当然半導体となります。外見も破砕断面などは金属シリコンの結晶状態と非常に良く似ています。比重も銅と硫黄の合金（合上金属）ですから、ごく軽い物です。【０００６】  硫黄は可燃物であり、高温では燃焼しますが、硫黄と銅の合金（合上金属）は赤熱程度では、硫黄分は分離燃焼しません。なぜなら合金（合上金属）となり、硫黄の物理的性質が変化し、新しい未知合金（合上金属）と成っているので、その物性も変わってしまったのです。
【発明の開示】
【発明が解決しようとする課題】
【０００７】  従来、金属と非金属により合金（合上金属）は簡単に出来ないと考えられておりました。また、金属シリコンより半導体チップを作るのは、成型等手間とお金のかかる事でした。
【課題を解決するための手段】
【０００８】  当理論及びこの発明を用いれば、簡単に金属と非金属の合金（合上金属）が作成出来ます。また合金（合上金属）ですので、鋳型に流し込めば、どんな形状にもなりますし、形状が自由に出来れば、又その加工も簡単にできます。あわせて半導体としての利用を考えるなら、半導体製造における、半導体製造コストも大幅に削減する事が出来ます。
【発明の効果】  共晶体理論により、新合金の作成が可能であり、本発明に習い、金属と非金属の合金（合上金属）が作成出来る事により、多くの新物質の生成が可能になりますし、とくに半導体の開発には、有用であると考えられます。
【発明を実施するための最良の形態】
【０００９】  銅と硫黄の共晶体を作る為の溶解釜を用意する。【００１０】  共晶体合金（合上金属）と不純分を溶解分離するための反射炉等高温炉を準備。
【実施例１】
【００１１】  一定量以上の銅を含む、錫、鉛又はこれらにより作られる、接着用はんだ材料等を融点より少し高い温度環境下において、攪拌しながら硫黄を少しずつ加え、攪拌を続けると、顆粒状の銅と硫黄の共晶体が析出するが、酸化物等の不純分を多く含む。
【実施例２】
【００１２】  反射炉等で赤熱溶解すると、過剰な硫黄分は燃え、また金属分も溶解分離する。
【実施例３】
【００１３】  これらを鋳型に流し込み、冷却すると凝固する。
【実施例４】
【００１４】  金属分と銅、硫黄の共晶体合金（合上金属）は比重の違いと融点の違いにより、分離凝固しているので、分離の境目に衝撃を加え、金属分と硫黄、銅等の合金（合上金属）を分ける。
【実施例５】
【００１５】  得られた金属と硫黄の合金（合上金属）を再溶解すれば純粋な金属と硫黄の合金（合上金属）が得られるが、硫黄は銅のみと合金（合上金属）と成る訳では無い。他の金属とも共晶合金（合上金属）となるので、母体合金により、その組成は変わる。従って母体金属組成を変える事により、硫黄一銅、その他金属との共晶体合金（合上金属）が出来て、その物理的性質も変わるので、多様な性質を持つ共晶合金（合上金属）の製造が可能である。
【産業上の利用可能性】
【００１６】  共晶体理論を利用した、新しい合金（合上金属）の製造。【００１７】  本発明である硫黄といろいろな金属、およびその複合体を開発する事により、新たな有用半導体の製造。【００１８】  共晶体理論を使っての新たな、有用新物質の開発。特に半導体開発。
(57)【要約】【課題】痴呆患者等の要介護者が、胸部及び腹部のチューブを抜き取る等の危険行為や、オムツに手を入れ便を取り出す等の悪戯行為を予防すると共に、要介護者と介護者の負担軽減を図る介護用ねまきの提供。【解決手段】後ろ合わせのねまき本体において、ねまきの両脇に紐の通し穴とスリットを施し、前面部の長い前垂れ部分と背面部の短い丈より構成されることを特徴とした介護用ねまき。【選択図】図１
2006009226.tif 000002
【特許請求の範囲】
【請求項１】
後ろ合わせのねまき本体において、ねまきの両脇には紐の通し穴とスリットを施し、前面部の長い前垂れ部分と背面部の短い丈より構成されることを特徴とした介護用ねまき。
【発明の詳細な説明】
【技術分野】
【０００１】本発明は、痴呆患者等の要介護者が胸部及び腹部のチューブを抜き取る等の危険行為や、オムツに手を入れ便を取り出す等の悪戯行為を予防する介護用ねまきに関するものである。
【背景技術】
【０００２】従来、病院入院患者や要介護者のねまきは、前合わせの形態のものが多く用いられている。
【特許文献】特開２０００−０３４６０６号公報
【発明の開示】
【発明が解決しようとする課題】
【０００３】従来の前合わせのねまきは、痴呆患者等の要介護者が胸部及び腹部のチューブを抜き取る等の危険行為や、オムツに手を入れ便を取り出す等の悪戯行為を防ぐ為に、介護者は要介護者を拘束したり付きっきりで看なければならなかったが、本発明は上記の問題点を解決し、要介護者と介護者の負担を軽減する介護用ねまきの提供である。
【課題を解決するための手段】
【０００４】上記の課題を解決するために、本発明の介護用ねまきは、後ろ合わせのねまき本体において、ねまきの両脇には紐の通し穴とスリットを施し、前面部の長い前垂れ部分と背面部の短い丈より構成されることを特徴とした。
【発明の効果】
【０００５】本発明の介護用ねまきは、後ろ合わせにし、前面部の前垂れ部分を背中側に巻き込み、更にパジャマ等のズボンを着用するので、要介護者が患部に手を入れられない上、両脇で紐を結ぶ為、背面部にファスナー等の突起物が無くなり、要介護者の背中が痛くならず、検温やおむつ交換もスムーズであり、要介護者と介護者の負担を軽減する。
【発明を実施するための最良の形態】
【０００６】以下に、本発明の介護用ねまきの一般的な実施の形態を述べる。後ろ合わせのねまき本体において、両脇には紐の通し穴とスリットを施し、前面部の長い前垂れ部分と背面部の短い丈を特徴とする。
【実施例１】
【０００７】本発明の介護用ねまきを、その具体的な実施例を用いて添付の図面と共に詳細に述べる。まず、図１に示す全体図のごとく、綿、ガーゼ、さらし等の肌触りの素材を使用したねまき本体があり、１を前面部とし（図２と図３も参照）開閉部には紐３ａが左右２本ずつと、更に両脇には紐３ｂが左右２本づつ取り付けられており、両脇の左右２ヶ所ずつには通し穴４が設けられているので、紐３ａは通し穴４に通し、紐３ｂと結ぶが、この際両脇に通し穴があるので左右どちら合わせでも可能であり、結び目を通し穴４に押し込む事により要介護者が紐をほどく事が出来ない上、両脇で紐を結ぶ為、要介護者の背面部にファスナー等の突起物が無い事になり、要介護者の背中が痛くならず、更に通し穴４から検温も出来る。【０００８】次に、前面部１の長い前垂れ部分を股を通し背面部２側に巻き込むが（図４参照）前面部１と背面部２の間には、上部に負荷がかかるので補強を施したスリット５が入っている為、前面部１の前垂れ部分を背面部２側に巻き込む際、長さの調節が利く。本発明を使用する時は、パジャマ等のズボンを着用し、要介護者は患部に手を入れる事が出来なくなり、おむつ交換時には前垂れ部分を引き抜くだけで良いので、おむつ交換もスムーズに行なえる。したがって、要介護者が胸部及び腹部のチューブを抜き取る等の危険行為や、オムツに手を入れ便を取り出す等の悪戯行為を防ぐ為に、介護者は要介護者を拘束したり付きっきりで看なくても良くなり、要介護者と介護者の負担を軽減出来る。【０００９】なお、本発明の介護用ねまきは、上記の実施例の介護用ねまきのみではなく、浴衣を利用して作成した形態のねまきも含まれる。
【図面の簡単な説明】
【００１０】
【図１】本発明の実施例の全体図である。
【図２】図１の紐を通した実施例の正面図である。
【図３】図１の紐を通した実施例の背面図である。
【図４】実施例の左斜傾後方からの立体図である。
【符号の説明】
【００１１】１  前面部
２  背面部
３ａ、３ｂ  紐
４  通し穴
５  スリット
【図１】
2006009226.tif 000003
【図２】
2006009226.tif 000004
【図３】
2006009226.tif 000005
【図４】
2006009226.tif 000006
(57)【要約】【課題】ブラジャー等衣類着用時における時間の短縮と作業の簡素化が出来るブラジャー等衣類の係止構造を提供する。【解決手段】ホック雌を横Ｍ字とすることにより、引っ掛けるだけでとまるブラジャー等衣類の係止構造。【選択図】  図１
2006009224.tif 000002
【特許請求の範囲】
【請求項１】
ブラジャーの脇バンド等、任意の接続片の一端側に設けられたホック雌と、接続片の他端側に設けられたホック雄とよりなり、ホック雌は上下辺よりやや内側位置で対向するホック雄方向に突出した突出部となっており両突出部間が突出方向反対側に凹んだ横略Ｍ字状のフレーム構造よりなり、ホック雄は前記ホック雌の両突出部幅で設けられた折り返しフック状となったものであることを特徴とするブラジャー等衣類の係止構造。
【発明の詳細な説明】
【技術分野】
【０００１】  本発明は、ブラジャー等衣類着用時における時間の短縮及び作業を簡素化させる係止構造である。
【背景技術】
【０００２】  従来、図４に示すようにブラジャー等衣類は着用時にホック雌にホック雄を挿入し引っ掛けるという２段階の作業が必要であった。又ホック雌の穴の大きさがホック雄の幅より少し大きいだけと小さいため効率が悪かった。
【発明の開示】
【発明が解決しようとする課題】
【０００３】  そのために、次のような問題点があった。
従来の係止構造では、後方に係止があるブラジャーの場合前方に半回転させ装着する等していたが効率が悪く、又普通に後部で着用しようとすると時間がかかる等していた。
その不便さを解消するため、前方にホック部分をつけた製品もあるが乳房が納まりにくいという欠点もあった。又他の衣類についても従来の係止構造では年配者や障害のある方は止める事が難しい場合があった。
本発明は以上の問題点を解決しようとするものである。
【課題を解決するための手段】
【０００４】  ホック雌の形状を横略Ｍ字型とし２個所のホック雄を一つの雌にて受ける形状とする。以上を特徴とするブラジャー等衣類の係止構造である。
【発明の効果】
【０００５】  横略Ｍ字型とする事によって、使用者はほぼ引っ掛ける作業のみで着用する事が出来、又多少のずれがあっても着用後にブラジャー等衣類自身のゴム反発力により定位置に収まる。
又、ダブルホックの従来品より縫合個所を減らす事が出来る。
【発明を実施するための最良の形態】
【０００６】  以下、本実施形態においては、接続片として脇バンドに使用するものとして説明する。
（イ）図１に示すとおり金属で出来たホック雌（２）の上下辺よりやや内側にそれぞれ湾      曲した突出部（３ａ・３ｂ）を設け、両突出部の中心に反対側に凹み、湾曲した凹      み部（４）を形成して全体を横略Ｍ字型とする。両端には縫製ベース（５ａ・５ｂ      ）をつける。
（ロ）突出部（３ａ・３ｂ）の頂点部分がホック雄（１）とそれぞれ対向の位置にくるよ      うにし、２つのホック雄の間隔はホック雌の最凸出部間の幅とする。この際ホック      雄は先端が引掛け用折り返し形状となる。
（ハ）素材となる金属の強度が思わしくない場合は凹み部（４）部分を縫製する。
本発明は以上よりなっている。
本発明を使用するときは、縫合ベースである（５ａ・５ｂ）を接続片である脇バンド（６ａ）に縫合し、脇バンド（６ｂ）に付属しているホック雄（１）を脇バンド（６ａ）に付属する突出部（３ａ・３ｂ）に引っ掛ける。従来品より穴が大きくなっていることにより引っ掛けやすく、突出部（３ａ・３ｂ）の２箇所の頂点を授けることによりブラジャー等衣類自身の持つゴムの反発力によって定位置に収まる。この結果、従来品より装着しやすくなる。このフックを利用した係止構造は、ブラジャーの脇バンドをはじめとし、他の女性用下着、学生服の詰襟等従来のホック雄雌が利用される箇所全般に利用できる。
【図面の簡単な説明】
【０００７】
【図１】本発明のホック雌を示す図
【図２】本発明の使用状態を示す図
【図３】本発明の使用状態を示す図
【図４】従来品の使用状態を示す図
【符号の説明】
【０００８】  １  ホック雄
２  ホック雌
３；３ａ；３ｂ  突出部
４  凹み部
５；５ａ；５ｂ  縫合ベース
６；６ａ；６ｂ  脇バンド
【図１】
2006009224.tif 000003
【図２】
2006009224.tif 000004
【図３】
2006009224.tif 000005
【図４】
2006009224.tif 000006
(57)【要約】      （修正有）【課題】  赤ちゃんが爪で顔を傷つけず、かつ汗ばみのない手袋を提供する。【解決手段】  手袋の先端を袋状にせず、筒状に開口し、かつ、赤ちゃんの指が飛び出さないように筒の長さを長めに構成する。【選択図】  図１
2006009229.tif 000002
【特許請求の範囲】
【請求項１】
先端が開口した筒状の布で手を覆い、手首に位置する部分に、布の内部に一周するゴムを入れたことを特徴とする赤ちゃん用手袋。
【請求項２】
筒の手のひらを覆う部分を大径に膨らませ、指先を覆う先端開口部に向かってなだらかな小径となるように形成した請求項１記載の手袋。
【請求項３】
筒の先端開口部付近にマジックテープ（商標名）などを対向して取付け、筒の口部を閉じられるようにした請求項１記載の手袋。
【発明の詳細な説明】
【発明の詳細な説明】
【産業上の利用分野】
【０００１】本発明は、赤ちゃんの手袋に関するものである。
【背景技術】
【０００２】  従来より使用されている赤ちゃん用の手袋として、袋状にした布で赤ちゃんの手を覆い、口部周囲にゴムを一周させたものがある。
【発明の解決しようとする課題】
【０００３】  上述のように、赤ちゃん用手袋は、赤ちゃんが指で目をつついたり、爪で顔を引っ掻いたり出来ないように袋状にしているものであるが、反面、夏場や梅雨時には風通しが悪く、汗をかいたり手が熱くなりすぎるなどの欠点があった。本発明は、これらの欠点を取り除いた快適な赤ちゃんの手袋を提供するものである。
【課題を解決するための手段】
【０００４】  上記目的を達成するために、本発明の手袋は、手袋の先端を袋状にせず筒状に開口し、かつ、赤ちゃんの指が飛び出さないように筒の長さを長めにし、筒先端の開口部を小径にし、手のひらを覆う部分を大径に形成する。筒の手首部分には、手袋が用意に抜けず、かつ手首を締め付けないように柔らかいゴムを輪状に入れる。
【作用】
【０００５】  上記の構成に成る赤ちゃん用手袋は、手袋から指が飛び出さず、風通しが良いので、赤ちゃんの顔を指で傷つけたりせず、かつ風通しが良く、手袋を取らずに赤ちゃんの手に触れることが出来る。
【実施例】
【０００６】  以下図面に基づきその詳細を説明する。
［図１］は、本発明の手袋の斜視図で、手袋１を手に着用した状態を表わしたものである。
本案の手袋は、筒状にした布２で手を覆い、手首３に位置する部分に、一周するゴム４を布の内部に入れたものである。筒状部は指５が筒から飛び出さない程度に長く構成され、手のひら６を覆う部分の筒の太さは、手指が余裕を持って開閉出来る程度に大径に膨らませ、指の先端部を覆う開口部７に向かってなだらかに小径となるように形成される。
筒の手首部分は、手首を締め付け過ぎないように、柔らかいソフトゴムなどを一周させて布の内部に入れて絞る。
手袋の素材として、さらしのような柔らかく風通しの良い生地が最適である。
本案の手袋は、風通しが良く特に夏場には赤ちゃんにとって快適であるが、冬の寒い日などには、筒の先端の対向部にマジックテープ８（商標名）などを取付けて筒の口部７を閉じられるようにする方法も有効である。
【発明の効果】
【０００７】  本発明の赤ちゃん用手袋は、赤ちゃんの爪で顔を傷つけたりすることがなく、かつ風通しが良いので、特に夏場に於いては汗ばみを防止し、衛生的であること、手袋を外さずに指に触れることが出来るので、指の熱さや汗ばみなどを調べるのに便利であり、スキンシップ効果にも有効である。また、赤ちゃんは激しく手を動かすが、筒状の布がうちわを扇ぐような効果を生ずるので、より通風効果を高め、従来品よりも衛生面健康面で優れた効果を発揮するものである。
【図面の簡単な説明】［図１］は、本発明の斜視図
１．手袋      ２．布    ３．手首  ４．ゴム    ５．指
６．手のひら    ７．開口部    ８．マジックテープ
【図１】
2006009229.tif 000003
(57)【要約】【課題】従来の厨房用流し又は洗面用流しは、シンク部分がステンレス鋼や陶磁器で作られているが冷たく癒し効果に欠けることや食器やグラスなどがシンク部分に当り割れる危険がある。また、更新などで廃棄する場合は大型不燃廃棄物としての問題もある。【解決手段】木材を加工したシンクの場合暖かさ、優しさなど癒し効果があり、廃棄する場合でも自然に帰り環境に優しい。但し、木製の場合水漏れ、腐食、割れ、変形などの問題が起こる可能性があるが、ガラスコーティングを施すことで解決できた。【特許請求の範囲】
【請求項１】
厨房用流し又は洗面用流しのシンク
【発明の詳細な説明】
【技術分野】
【０００１】本発明は、厨房用流し又は洗面用流しに取り付けるシンクの材質に関するもの。
【背景技術】
【０００２】厨房用流し又は洗面用流しのシンクは水漏れ、腐敗、変色、耐熱などを防ぐ為に陶磁器やステンレスなどの金属で作られている。
しかし、使う人にとって冷たい感じがして、癒し効果に問題がある。
また、陶磁器の場合は食器やグラス、ビンなどが割れる危険があり、更新などのため取り外した場合は廃棄が問題になる。
【発明の開示】
【発明が解決しようとする課題】
【０００３】厨房用流し又は洗面用流しは使用頻度が高く特に厨房用流しは主婦の作業場として重要なポジションを占める。
向き合っている流しのシンクを癒し効果のある材質に変えること、また、食器やグラス、ビンなどが割れにくい材質に変えること、更新の為取り外しても廃棄物として問題にならない材質に変えることなどが解決しようとする課題である。
【課題を解決する為の手段】
【０００４】天然の木材をシンクに利用できれば、癒し効果が生じ、食器等の割れの問題も解決し、廃棄しても自然に帰るので廃棄物としての問題も無くなる。
しかし、木製にした場合は水漏れ、腐食、割れ、変形などが生じる問題があり、採用が今まで難しかった。
この問題については、木製シンク表面にガラスコーティングを施すことで解決出来、しかも木材の持つ光沢や柔らかさを保ったままで長く使用できることが分かった。
【発明の効果】
【０００５】桧の間伐材を利用した集成材で作ったテーブルキチンに国産天然木材であるタモの集成材を加工して製作したシンクを取り付け試験使用したが、従来のステンレス製シンクに比較して暖かさ、優しさがあり使う人への癒し効果が認められた。またガラスコーティング効果により水漏れ、割れ、変形、腐食などの問題は生じてない。
また、食器、グラスなどが当っても木質なので割れる可能性は少ない。
くわえて、廃棄しても環境にやさしい廃棄物として取り扱えるメリットがある。
【実施例】
【０００６】当地域で発生した桧の間伐材から製造した集成材で製作したテーブルキチンに国産天然木タモの集成材を木工用ＮＣ旋盤で加工し、表面にガラスコーティングを施して製作した木製シンクを取り付けた。
(57)【要約】      （修正有）【課題】台風や降雪といった自然災害から人類を守るのが第一義です。水流潮流発電を採用することにより、火力発電、原子力発電に代わる自然に優しい環境に配慮したものとする。【解決手段】台風や降雪といった自然災害を未然に防ぐために、ドームで地上を覆う。究極的には地球をまるごとドームで覆う。ドームは、透明硬質プラスチックを五角形と六角形の片として、サッカーボールのように組み合わせて球状とする。地上をドームで覆うことにより、地球に風がなくなる。そこで、河川の水流、海の潮流といった自然エネルギーを用いて発電を行う。風力発電を下向きにして河川や海に設置する。潮流発電においては、浅い海域に堤防を築く。【選択図】図１
2006009555.tif 000002
【特許請求の範囲】
【請求項１】
今も台風の影響による被害が出ている。首都圏は降雪によっても交通機関が機能しなくなる。
私の発明は、そのような自然災害を未然に防ぐ地上ドームである。
究極的には地球をまるごと覆う地球ドームである。
私の提案はその一例にすぎないが地上をドームで覆うという発想においてその全てを私の特許の範囲とする。
【請求項２】
ドームで覆われた地球に風はなくなるが水流がある。河川の水流、海の潮流である。それらの自然エネルギーを用いて発電するのが水流発電潮流発電である。これらの水の流れを利用して今後開発される発電物を全て私の特許の範囲とする。
【発明の詳細な説明】
【技術分野】
【０００１】本発明は硬質プラスチックを五角形と六角形に形をとりその外側に光触媒ＴｉＯＣＯＡＴを塗付して汚れないようにし接続部分をナイキのヒールビジブル〈エア〉として衝撃吸収性をもたせドーム型にする地上ドーム地球ドームである。また水流発電潮流発電は、現在ある風力発電を河川が海中にとり付けるものである。
〔背景技術〕【０００２】鉄筋コンクリート【０００３】透明硬質プラスチック【０００４】光触媒ＴｉＯＣＯＡＴ【０００５】ヒールビジブル〈エア〉【０００６】サッカーボール【０００７】自動ドア【０００８】風力発電【０００９】プロペラ【００１０】橋脚【００１１】堤防
〔発明が解決しようとする課題〕【００１２】地上ドーム地球ドームに於ては、それらの巨大なものをいかに設置することができるかどうか。水流発電潮流発電に於ては、海流のある海中にいかに設置することができるかどうか。
〔課題を解決するための手段〕【００１３】地上ドームにおいては透明硬質プラスチックを五角形と六角形の片としてそれをサッカーボールの様に組み合わせて球状とし、接続部位には軽量で透明なナイキのヒールビジブル〈エア〉を用いて弾力性をもたせる。
また外側に光触媒ＴｉＯＣＯＡＴを塗付することによって汚れが降雨によって取りさられるようにする。潮流発電においては、まずは深さのない海流に提防を築いてそこに設置すればよいと考える。
〔発明を実施するための最良の形態〕【００１４】・地上ドームは前述したように小片をつないでいき道路は非常時以外はドアなし人間の通路は自動ドアがあってもよい。地球ドームはこの延長線上にあるもので地球を丸ごと覆うものである。
水流潮流発電は風力発電を下向きにして河川や海に設置するものである。共に鉄筋コンクリートを基礎とする。
【図面の簡単な説明】
【００１５】
【図１】図１の中で地上ドーム、地球ドームの外観図その組み立て図、また水流発電の橋脚に設置した一例、潮流発電の瀬戸内海の東側、太平洋と接する場所を想定した一例の図を載せてある。
【図１】
2006009555.tif 000003
(57)【要約】【課題】手を汚さずにゴミを捨てることの出来る、排水溝のゴミ受けを提供する。【解決手段】ゴミ受けにちょうつがいを付けて、そこに柄を設けたことを特徴とする排水溝のゴミ受け。【選択図】  図２
2006009554.tif 000002
【特許請求の範囲】
【請求項１】
ゴミ受けにちょうつがいを設けて、そのちょうつがいに柄をつけた排水溝のゴミ受け。
【発明の詳細な説明】
【技術分野】
【０００１】本発明は、排水溝のゴミ受けにちょうつがいを付けてそれに柄をつけたものである。
【背景技術】
【０００２】従来、排水溝のゴミ受けのゴミを手を汚さずに取るのは、ゴミ受けにシールを貼るものだけだった。
【発明の開示】
【発明が解決しようとする課題】
【０００３】そのために、次のような問題点があった。
（イ）使い捨ての消耗品のためにお金がかかった。
（ロ）水でシールがはがれやすかった。
本発明はこれらの問題点を解決するためになされたものである。
【課題を解決するための手段】
【０００４】ゴミ受けにちょうつがいを設けて、そのちょうつがいに柄をつけた排水溝のゴミ受け。
【発明の効果】
【０００５】柄を持ってコンコンとゴミ箱に打ちつけてゴミを捨てられるので、手を汚さないし、消耗品でないのでお金もかからない。
【発明を実施するための最良の形態】
【０００６】以下、本発明の実施の形態について説明する。
ゴミ受け（１）に蝶番（２）を設けそこに柄（３）をつける。
本発明は以上のような構成で、これを使用するときは、ゴミ受け（１）を排水溝に置き、ゴミがたまったら、ちょうつがい（２）で柄（３）を曲げて、ゴミ箱（４）のふちに打ち付けてゴミを捨てる。
柄（３）を持ってちょうつがい（２）で曲げて、ゴミ箱（４）に打ちつけて、ゴミ受け（１）にたまったゴミを手を汚さずに捨てられる。
【図面の簡単な説明】
【０００７】
【図１】    本発明の斜視図
【図２】    本発明を９０°傾けたときの下面図
【図３】    本発明のゴミを捨てたときの上面図
【符号の説明】
【０００８】      １．ゴミ受け
２．ちょうつがい
３．柄
４．ゴミ箱
【図１】
2006009554.tif 000003
【図２】
2006009554.tif 000004
【図３】
2006009554.tif 000005